(57)【要約】【課題】移動する読み取り手段に変形しつつ追従するＦＦＣが、移動手段を構成するベルトに近づいて接触する虞があった。【解決手段】スキャナーユニット４は、原稿を読み取る読み取り手段３１と、駆動プーリー４１と従動プーリー４２との間に掛け回されて読み取り手段３１を牽引するベルト４３と、読み取り手段３１の移動領域を内部に備えるハウジング３０と、読み取り手段３１の移動に追従して変形可能な可動部５０ａを有するように、読み取り手段３１とハウジング３０における保持位置Ｅ２とで保持されるＦＦＣ５０と、ハウジング３０の底部３０ａに設けられ、Ｙ軸方向においてハウジング３０における保持位置Ｅ２とベルト４３との間に位置し、可動部５０ａがベルト４３に近づく方向に上る傾斜面６０ａを有する傾斜形状部６０と、を備える。【選択図】図１０
2020141187.tif 000002
【特許請求の範囲】
【請求項１】
第１軸方向に延設されるとともに、前記第１軸方向と交差する第２軸方向に移動可能に構成され、原稿を読み取る読み取り手段と、
駆動源によって駆動される駆動プーリーと、
前記駆動プーリーに従動回転可能な従動プーリーと、
前記駆動プーリーと前記従動プーリーとの間に掛け回され、前記読み取り手段を牽引するベルトと、
前記読み取り手段の移動領域を内部に備えるハウジングと、
前記読み取り手段の移動に追従して変形可能な可動部を有するように、前記読み取り手段と、前記ハウジングにおける保持位置と、で保持されるケーブルと、
前記ハウジングの底部に設けられ、前記第１軸方向において前記保持位置と前記ベルトとの間に位置し、前記可動部が前記ベルトに近づく方向に上る傾斜面を有する傾斜形状部と、を備える
ことを特徴とする画像読取装置。
【請求項２】
請求項１に記載の画像読取装置において、
前記読み取り手段の移動に際し、前記可動部が前記ベルトの上方を通るように構成されている、
ことを特徴とする画像読取装置。
【請求項３】
請求項２に記載の画像読取装置において、
前記傾斜形状部の頂部は、前記ベルトの頂部よりも高い位置に配置される、
ことを特徴とする画像読取装置。
【請求項４】
請求項３に記載の画像読取装置において、
前記傾斜形状部の頂部が平坦状に形成されている、
ことを特徴とする画像読取装置。
【請求項５】
請求項１から請求項４のいずれか一項に記載の画像読取装置において、
前記ハウジングにおける前記ケーブルの前記保持位置は、前記ハウジングを側面から見て、高さ方向において、前記ベルトと重なるように配置される、
ことを特徴とする画像読取装置。
【請求項６】
媒体を搬送する搬送手段と、搬送される前記媒体に記録を行う記録手段と、を備える記録ユニットと、
前記記録ユニットの上部に設けられる、請求項１から請求項５のいずれか一項に記載の前記画像読取装置と、を備える、
ことを特徴とする記録装置。
【発明の詳細な説明】
【技術分野】
【０００１】
本発明は、原稿の画像を読み取る画像読取装置、及び画像読取装置を備えた記録装置に関する。
【背景技術】
【０００２】
媒体に記録を行う記録装置には、媒体に記録を行う記録ユニットと、原稿を読み取るスキャナーユニットと、を一体に備える複合機として構成されるものがある。  
特許文献１には、記録ユニットと、スキャナーユニットとしてフラットベッド型の画像読取装置と、を備えた複合機が開示されている。  
フラットベッド型の画像読取装置では、原稿台の下方を読取部が移動して、原稿台に載置された原稿を読み取る。
【０００３】
特許文献１において、画像読取装置の読取部の移動には、駆動源により回転される駆動プーリーと、駆動プーリーに従動回転する従動プーリーと、に掛け回されたベルトに読取部を固定し、駆動プーリーを回転させることでベルトを移動させて読取部を牽引するベルト機構が用いられている。
【０００４】
また、読取部には、読み取った画像データを記録ユニットに設けられる基板等に伝送するフレキシブルフラットケーブルが設けられている。尚、以下において、フレキシブルフラットケーブルをＦＦＣと称する場合がある。ＦＦＣは、スキャナーユニット内において屈曲されて引き回されるとともに一部が変形可能に収容されており、読取部の移動に対応してＦＦＣが変形しつつ追従するように構成されている。
【先行技術文献】
【特許文献】
【０００５】
【特許文献１】特開２０１８−０１９３３２号公報
【発明の概要】
【発明が解決しようとする課題】
【０００６】
読取部の移動に際して変形したＦＦＣがベルトに接触すると、ベルト機構による読取部の安定した移動が確保できない虞がある。また、ＦＦＣがベルトに接触した際に発生する音が、ユーザーに異音として感じられることがある。  
ＦＦＣのベルトへの接触を避けるため、ベルト機構を、ＦＦＣが設けられる高さよりも一段下がった位置に設けることが考えられるが、このように構成しても、変形したＦＦＣがベルトの上部に差し掛かった場合には、ＦＦＣが自重により下がり、ベルトに接触する虞があった。
【課題を解決するための手段】
【０００７】
上記課題を解決する本発明の画像読取装置は、第１軸方向に延設されるとともに、前記第１軸方向と交差する第２軸方向に移動可能に構成され、原稿を読み取る読み取り手段と、駆動源によって駆動される駆動プーリーと、前記駆動プーリーに従動回転可能な従動プーリーと、前記駆動プーリーと前記従動プーリーとの間に掛け回され、前記読み取り手段を牽引するベルトと、前記読み取り手段の移動領域を内部に備えるハウジングと、前記読み取り手段の移動に追従して変形可能な可動部を有するように、前記読み取り手段と、前記ハウジングにおける保持位置と、で保持されるケーブルと、前記ハウジングの底部に設けられ、前記第１軸方向において前記保持位置と前記ベルトとの間に位置し、前記可動部が前記ベルトに近づく方向に上る傾斜面を有する傾斜形状部と、を備えることを特徴とする。
【図面の簡単な説明】
【０００８】
【図１】第１実施形態に係るプリンターの外観斜視図。
【図２】第１実施形態に係るプリンターにおいてスキャナーユニットを完全に開いた状態を示す斜視図。
【図３】第１実施形態に係るプリンターの側断面図。
【図４】第１実施形態に係るプリンターにおいて、スキャナーユニットの原稿台カバーを開いた状態を示す斜視図。
【図５】第１実施形態に係るプリンターにおいて、キャリッジが液体収容部にインクを補充する際の位置に移動された状態を示す斜視図。
【図６】スキャナーユニットのハウジング内を表す斜視図であり、読み取り手段がホームポジションにある状態を示す図。
【図７】スキャナーユニットのハウジング内を表す斜視図であり、読み取り手段がホームポジションから＋Ｘ方向の端部に向けて移動する途中の状態を示す図。
【図８】スキャナーユニットのハウジング内を表す斜視図であり、読み取り手段が＋Ｘ方向の端部に位置する状態を示す図。
【図９】移動手段の要部拡大斜視図。
【図１０】図３のＡ部の拡大図。
【図１１】傾斜形状部の概略断面図。
【図１２】スキャナーユニットにおける駆動プーリー周辺の断面図。
【図１３】スキャナーユニットにおける従動プーリー周辺の断面図。
【発明を実施するための形態】
【０００９】
以下、本発明について概略的に説明する。  
第１の態様に係る画像読取装置は、第１軸方向に延設されるとともに、前記第１軸方向と交差する第２軸方向に移動可能に構成され、原稿を読み取る読み取り手段と、駆動源によって駆動される駆動プーリーと、前記駆動プーリーに従動回転可能な従動プーリーと、前記駆動プーリーと前記従動プーリーとの間に掛け回され、前記読み取り手段を牽引するベルトと、前記読み取り手段の移動領域を内部に備えるハウジングと、前記読み取り手段の移動に追従して変形可能な可動部を有するように、前記読み取り手段と、前記ハウジングにおける保持位置と、で保持されるケーブルと、前記ハウジングの底部に設けられ、前記第１軸方向において前記保持位置と前記ベルトとの間に位置し、前記可動部が前記ベルトに近づく方向に上る傾斜面を有する傾斜形状部と、を備えることを特徴とする。
【００１０】
本態様によれば、画像読取装置は、前記ハウジングの底部に設けられ、前記第１軸方向において前記保持位置と前記ベルトとの間に位置し、前記可動部が前記ベルトに近づく方向に上る傾斜面を有する傾斜形状部を備えるので、前記ケーブルの前記可動部が前記ベルトに近づくように変形した場合に、変形した前記可動部が不用意に前記ベルトに接触する虞を低減できる。
【００１１】
第２の態様は、第１の態様において、前記読み取り手段の移動に際し、前記可動部が前記ベルトの上方を通るように構成されている、ことを特徴とする。  
本態様によれば、第１の態様と同様の作用効果により、前記可動部が前記ベルトに接触する虞を低減できる。
【００１２】
第３の態様は、第２の態様において、前記傾斜形状部の頂部は、前記ベルトの頂部よりも高い位置に配置される、ことを特徴とする。  
本態様によれば、前記傾斜形状部の頂部が、前記ベルトの頂部よりも高い位置に配置されるので、前記可動部のベルトへの接触をより確実に回避できる。
【００１３】
第４の態様は、第３の態様において、前記傾斜形状部の前記頂部が平坦状に形成されている、ことを特徴とする。  
本態様によれば、前記傾斜形状部の前記頂部が平坦状に形成されているので、前記頂部に前記ケーブルが引っ掛かる虞を低減できる。
【００１４】
第５の態様は、第１の態様から第４の態様のいずれかにおいて、前記ハウジングにおける前記ケーブルの前記保持位置は、前記ハウジングを側面から見て、高さ方向において、前記ベルトと重なるように配置される、ことを特徴とする。
【００１５】
本態様によれば、前記ハウジングにおける前記ケーブルの前記保持位置は、前記ハウジングを側面から見て、高さ方向において、前記ベルトと重なるので、装置の高さ方向における小型化を実現できる。
【００１６】
第６の態様に係る記録装置は、媒体を搬送する搬送手段と、搬送される前記媒体に記録を行う記録手段と、を備える記録ユニットと、前記記録ユニットの上部に設けられる、第１の態様から第５の態様のいずれかの前記画像読取装置と、を備えることを特徴とする。
【００１７】
本態様によれば、記録ユニットと前記画像読取装置とを備える記録装置において、第１の態様から第５の態様のいずれかと同様の作用効果を得ることができる。
【００１８】
［第１実施形態］
以下、本発明の一実施形態に係る記録装置の概略について説明する。本実施形態において、記録装置の一例としてインクジェットプリンター１を挙げる。インクジェットプリンター１は、以下、単にプリンター１と称するものとする。  
尚、各図において示すＸ−Ｙ−Ｚ座標系はＸ軸方向が装置幅方向、Ｙ軸方向が装置奥行き方向、Ｚ軸方向が装置高さ方向を示している。また、＋Ｙ方向を装置前方とし、−Ｙ方向を装置後方とする。また、装置前方から見て左を＋Ｘ方向、右を−Ｘ方向とする。また、＋Ｚ方向を上方とし、−Ｚ方向側を下方とする。  
また、プリンター１において媒体が搬送されていく搬送方向を「下流」といい、これと反対の方向を「上流」という。
【００１９】
＜プリンターの概要＞
図１に示されるプリンター１は、媒体に記録を行う記録部８を内部に備える下部ユニット２と、下部ユニット２の上部に設けられ、原稿を読み取る画像読取装置としてのスキャナーユニット４と、を備えている。即ちプリンター１は、記録機能に加えて画像読取機能を備える複合機として構成されている。  
プリンター１において、記録が行われる媒体としては、例えば、普通紙の他、普通紙よりも厚いハガキや名刺等の厚紙、普通紙よりも薄い薄紙、写真用の光沢紙等の用紙が挙げられる。また、プリンター１は、ＣＤやＤＶＤのようなディスク型メモリーのラベル面への記録も可能に構成されている。
【００２０】
プリンター１において、記録部８は、液体としてのインクを吐出して媒体に記録を行う記録ヘッド１０と、記録ヘッド１０を支持するキャリッジ２０とを備え、記録ヘッド１０から媒体Ｐに向けてインクを吐出することで記録を行うように構成されている。キャリッジ２０は、媒体Ｐの搬送方向と交差する幅方向であるＸ軸方向に往復移動可能に構成されている。
【００２１】
スキャナーユニット４は、下部ユニット２に対して回動可能に設けられ、回動することにより下部ユニット２の上部を開閉可能に構成されている。スキャナーユニット４は、装置後方、すなわち−Ｙ方向に回動軸を有し、装置前方、すなわち＋Ｙ方向を自由端４ａとして回動する。図１には、スキャナーユニット４が下部ユニット２に対して閉じた閉状態が示されており、図２にはスキャナーユニット４が下部ユニット２に対して完全に開いた状態が示されている。
【００２２】
プリンター１の装置前方である＋Ｙ方向には、操作部６を備えるパネルユニット１３が設けられている。操作部６は、記録や画像読み取りのための各種設定操作や実行操作の他、設定内容や画像のプレビュー表示などを行うことができる。  
パネルユニット１３はスキャナーユニット４に設けられ、図１に示されるように操作面６ａが前方を向く状態から、操作面６ａが上を向く方向に回動可能に構成されている。
【００２３】
下部ユニット２の前面２ａの下部には、下部カバー７が設けられている。尚、下部ユニット２の前面２ａは図１では見えていないが、図２に示されている。  
下部カバー７を図３において点線で示すように開くことにより、記録前の媒体Ｐを収容する媒体トレイ１１と、記録後に排出される媒体を受ける排出トレイ１２が露呈するように構成されている。  
以下において、スキャナーユニット４について詳しく説明する。スキャナーユニット４について説明した後、プリンター１における媒体搬送経路Ｔと、媒体搬送経路Ｔに媒体Ｐを搬送して行う記録の流れについて説明する。
【００２４】
＜スキャナーユニットについて＞
スキャナーユニット４は、図３に示すように、原稿を読み取る読み取り手段３１と、読み取り手段３１の移動領域を内部に備えるハウジング３０と、を備えている。  
本実施形態においてスキャナーユニット４はフラットベッド型の画像読取装置であり、図５に示される原稿台３２の下方において、読み取り手段３１が原稿台３２に対して相対的に移動可能に設けられている。
【００２５】
読み取り手段３１は、第１軸方向としてのＹ軸方向に延設されるとともに、第１軸方向（Ｙ軸方向）と交差する第２軸方向としてのＸ軸方向に移動可能に構成されている。  
より具体的には、読み取り手段３１は、読取センサー３１ａと、読取センサー３１ａが搭載されるセンサーキャリッジ３１ｂと、を備えて構成されている。  
読取センサー３１ａとしては、不図示の光源と受光部を備え、原稿台３２に載置された原稿に光源から光を照射し、原稿からの反射光を受光部で受光して原稿の情報を読み取る光学センサーを用いることができる。本実施形態において、読取センサー３１ａには、密着型イメージセンサーモジュール（ＣＩＳＭ）が用いられている。
【００２６】
読み取り手段３１は、図６〜図８に示されるように、ハウジング３０の内部に設けられる移動手段４０により、Ｘ軸方向に移動される構成である。移動手段４０は、駆動源４４によって駆動される駆動プーリー４１と、駆動プーリー４１に従動回転可能な従動プーリー４２と、駆動プーリー４１と従動プーリー４２との間に掛け回され、読み取り手段３１を牽引するベルト４３と、を備えている。ベルト４３は、無端状に形成された無端ベルトである。
【００２７】
本実施形態において、図９に示される駆動源４４としては、ステッピングモーターが用いられている。駆動源４４からの動力は、中間歯車４５を介して駆動プーリー４１に伝達される。
【００２８】
本実施形態において、駆動プーリー４１と従動プーリー４２とは、読み取り手段３１の移動方向である第２軸方向（Ｘ軸方向）に沿って間隔を空けて配置されており、ベルト４３は、第２軸方向に沿って張架される。  
図１０に示されるように、センサーキャリッジ３１ｂの下部には取付部３４が設けられている。取付部３４が、Ｙ軸方向において駆動プーリー４１及び従動プーリー４２を挟んで＋Ｙ方向に位置するベルト４３に一体に取り付けられることにより、センサーキャリッジ３１ｂをベルト４３の移動に追従させて第２軸方向に移動させることができる。以って、読み取り手段３１を第２軸方向に移動させることができる。
【００２９】
本実施形態において、読み取り手段３１は、図６に示されるハウジング３０の−Ｘ方向の端部をホームポジションとして、図８に示されるハウジング３０の＋Ｘ方向の端部まで移動しつつ原稿台３２に載置された原稿を読み取る。図７は、読み取り手段３１が、図６に示されるホームポジションと、図８に示される＋Ｘ方向の端部との間に位置する状態を示している。
【００３０】
図１０に示されるセンサーキャリッジ３１ｂの下部において、取付部３４の＋Ｙ方向には、被ガイド部３５が設けられている。被ガイド部３５は、ハウジング３０内の底部３０ａに設けられるガイドレール３６に対して嵌め合わされる。被ガイド部３５がガイドレール３６にガイドされつつ、センサーキャリッジ３１ｂが第２軸方向（Ｘ軸方向）に移動することで、センサーキャリッジ３１ｂの第２軸方向への安定した移動が実現できる。  
本実施形態において、被ガイド部３５は、図３に示されるように、センサーキャリッジ３１ｂの第１軸方向（Ｙ軸方向）において中央部Ｃよりも−Ｙ方向に設けられている。
【００３１】
図３において、ハウジング３０の上部には原稿台３２が設けられている。図６〜図９では、ハウジング３０の上部から原稿台３２が外された状態が示されている。  
スキャナーユニット４は、図１及び図４に示されるように、原稿台３２を開閉可能な原稿台カバー５を備えている。原稿台カバー５を図４のように開くと、原稿台３２が露呈する。読み取り手段３１はＸ軸方向に移動しつつ、原稿台３２に載置された原稿を読み取る。原稿は、読み取り面を原稿台３２と対向させるようにして原稿台３２に載置される。
【００３２】
原稿台カバー５において、閉じた際に原稿台３２と対向する面には、図４に示されるように、原稿を押さえる押さえ板３３が設けられている。  
尚、パネルユニット１３はハウジング３０に設けられているので、原稿台カバー５は単体で開閉することができる。
【００３３】
スキャナーユニット４の読み取り手段３１で読み取られた画像は、プリンター１において媒体Ｐに記録することができる。読み取り手段３１で読み取った画像データは、図６に示されるフレキシブルフラットケーブル５０を介して、下部ユニット２に設けられる不図示の制御部に送られる。尚、以下において、フレキシブルフラットケーブル５０をＦＦＣ５０と省略して記載する。
【００３４】
スキャナーユニット４に設けられるケーブルとしてのＦＦＣ５０は、一方の端部が読み取り手段３１に接続され、他方の端部が前述した制御部に接続される。ハウジング３０内においてＦＦＣ５０は、図８に示されるように、読み取り手段３１の移動に追従して変形可能な可動部５０ａを有するように、読み取り手段３１とハウジング３０における保持位置とで保持されて、下部ユニット２内に導かれている。ＦＦＣ５０のハウジング３０における保持位置は、後で説明する。
【００３５】
ＦＦＣ５０は、図６に示されるように読み取り手段３１がホームポジションにある状態において、センサーキャリッジ３１ｂの−Ｘ方向の側面の符号Ｅ１で示す位置から−Ｙ方向に引き出され、ハウジング３０の−Ｙ方向の内壁３０ｂに沿って延ばされている。符号Ｅ２の位置には、ＦＦＣ５０がハウジング３０の内壁３０ｂから離れることを規制する規制部５１が設けられており、ＦＦＣ５０の符号Ｅ１から符号Ｅ２で示される部分が図７及び図８に示されるように変形する。符号Ｅ１で示す位置が読み取り手段３１におけるＦＦＣ５０の保持位置Ｅ１であり、符号Ｅ２で示す位置がハウジング３０におけるＦＦＣ５０の保持位置Ｅ２である。
【００３６】
つまり、保持位置Ｅ１から保持位置Ｅ２までがＦＦＣ５０の可動部５０ａである。本実施形態では、図８に示されるように、読み取り手段３１の移動に際し、ＦＦＣ５０の可動部５０ａが移動手段４０のベルト４３の上方を通る構成である。
【００３７】
そして本実施形態において、ハウジング３０は、底部３０ａに傾斜形状部６０を備える点が特徴である。傾斜形状部６０は、第１軸方向（Ｙ軸方向）において、ハウジング３０における保持位置Ｅ２、すなわち規制部５１の位置と、ベルト４３との間に位置し、可動部５０ａがベルト４３に近づく方向に上る傾斜面６０ａを有する。本実施形態において、傾斜形状部６０は、図１０に示されるように、＋Ｙ方向に向けて上るように傾斜をしている。
【００３８】
傾斜形状部６０を備えることにより、ＦＦＣ５０の可動部５０ａが図８のようにベルト４３の上方にかかるように変形したとしても、可動部５０ａは、図１１に示されるように傾斜形状部６０にガイドされて、ベルト４３に近づくにしたがって上方に傾斜しつつベルト４３に近づくので、可動部５０ａが不用意にベルト４３に接触する虞を低減できる。
【００３９】
本実施形態において、傾斜形状部６０の頂部６０ｂは、図１１に示されるようにベルト４３の頂部、すなわちベルト４３の＋Ｚ方向の端部よりも高い位置に配置されている。尚、図１１において符号Ｄで示す位置が、傾斜形状部６０の頂部６０ｂの高さ位置である。  
傾斜形状部６０の頂部６０ｂが、ベルト４３の頂部よりも高い位置Ｄに配置されることにより、可動部５０ａのベルト４３への接触をより確実に回避できる。
【００４０】
また、傾斜形状部６０は、頂部６０ｂが平坦状に形成されている。頂部６０ｂが平坦であることにより、頂部６０ｂが尖っている場合よりもＦＦＣ５０が頂部６０ｂに引っ掛かる虞を低減できる。
【００４１】
図１１に示す傾斜形状部６０の傾斜面６０ａの傾斜角度αは、急すぎると可動部５０ａが＋Ｙ方向に移動する際の負荷になる。また、可動部５０ａが傾斜面６０ａに引っ掛かり、円滑な変形ができなくなる虞がある。本実施形態においては、傾斜角度αは一例として３０°に形成されている。傾斜面６０ａの傾斜角度αはＦＦＣ５０の剛性に応じて変えることができるが、画像データ伝送用のＦＦＣ５０の場合、傾斜角度αは３０°前後であることが好ましい。
【００４２】
本実施形態において、傾斜形状部６０は、Ｘ軸方向において、ベルト４３の一部と重なる領域に設けられている。傾斜形状部６０をＸ軸方向においてベルト４３全体と重なるように設けることもできるが、傾斜形状部６０は、Ｘ軸方向においてＦＦＣ５０の可動部５０ａが通る領域に設けられていればよい。
【００４３】
本実施形態において、ハウジング３０におけるＦＦＣ５０の高さ方向（Ｚ軸方向）における保持位置は、図１０に示す符号Ｇ１の位置であり、ベルト４３の高さ方向における位置Ｈよりも上方に位置しているが、傾斜形状部６０が設けられていることにより、ＦＦＣ５０の保持位置を図１０において符号Ｇ２で示される位置まで下げることもできる。つまり、ハウジング３０を側面から見て、ＦＦＣ５０の保持位置を、高さ方向（Ｚ軸方向）において、ベルト４３と重なるように配置することができる。この構成により、装置の高さ方向における小型化を実現できる。ＦＦＣ５０は、高さ方向においてベルト４３全体と重なる構成とすることもできるが、ＦＦＣ５０とベルト４３とが高さ方向において一部重なる構成とすることもできる。
【００４４】
尚、例えば、移動手段４０をもっと＋Ｙ方向に配置すれば、移動手段４０とＦＦＣ５０の可動部５０ａとの接触を回避することができる。ここで、本実施形態においては、ハウジング３０の底部３０ａの＋Ｙ方向が、移動手段４０が配置される部分よりも一段高く形成されている。ハウジング３０の＋Ｙ方向の下部には、後述する液体収容部２４を備えるキャリッジ２０が位置しており、ハウジング３０と液体収容部２４とを高さ方向において一部が重ねて配置されることで、装置の高さ方向の小型化が図られている。  
このため、本実施形態においては、移動手段４０がガイドレール３６よりも−Ｙ方向に配置されており、移動手段４０の上方をＦＦＣ５０の可動部５０ａが通る構成であるが、傾斜形状部６０を設けることにより、可動部５０ａと移動手段４０、特に可動部５０ａとベルト４３との接触を回避することができる。
【００４５】
尚、移動手段４０にＦＦＣ５０が接触することを回避するための上記構成は、複合機に搭載されるスキャナーユニット４だけでなく、スキャナー単体として構成される画像読取装置にも採用することができる。
【００４６】
＜スキャナーユニットにおける他の構成＞
図１０に示される読み取り手段３１において、読取センサー３１ａとセンサーキャリッジ３１ｂの底部との間には、読取センサー３１ａを原稿台３２に向けて押圧する押圧手段３７が設けられている。押圧手段３７としては、コイルばね等の弾性部材が用いられる。  
本実施形態において、押圧手段３７は、読み取り手段３１の第１軸方向（Ｙ軸方向）において、図３に示される中央部Ｃよりも−Ｙ方向に設けられている。
【００４７】
スキャナーユニット４において、原稿台３２は、図５に示されるようにハウジング３０の上に配置され、枠部材３８によって四辺の外周が押さえられている。  
本実施形態においては、枠部材３８は、駆動プーリー４１の抜け止めとしての第１押さえ部３８ａ（図１２を参照）と、従動プーリー４２の抜け止めとしての第２押さえ部３８ｂ（図１３を参照）と、を備えている。
【００４８】
駆動プーリー４１は、図１２に示されるように、ハウジング３０の底部３０ａに一体に形成される第１軸部４６ａを回転軸として取り付けられている。第１押さえ部３８ａは、枠部材３８をハウジング３０に取り付けた場合に、図１２に示されるように第１軸部４６ａと駆動プーリー４１の双方の上方に位置し、駆動プーリー４１が第１軸部４６ａから抜けることを抑制する。
【００４９】
また、従動プーリー４２は、図１３に示されるように、ハウジング３０の底部３０ａに一体に形成される第２軸部４６ｂを回転軸として取り付けられている。第２押さえ部３８ｂは、枠部材３８をハウジング３０に取り付けた場合に、図１３に示されるように第２軸部４６ｂと従動プーリー４２の双方の上方に位置し、従動プーリー４２が第２軸部４６ｂから抜けることを抑制する。
【００５０】
＜プリンターにおける媒体搬送経路と記録について＞
続いて、図３を参照しつつプリンター１における媒体搬送経路Ｔと、媒体Ｐへの記録について説明する。  
媒体搬送経路Ｔは、プリンター１の装置下部に設けられる媒体トレイ１１から記録部８による記録領域に向けて搬送される媒体Ｐの搬送経路である。媒体トレイ１１には複数枚の媒体Ｐを収容可能であり、下部ユニット２に対して着脱可能となっている。媒体トレイ１１は、図３に示されるように下部ユニット２に装着された状態で、後述する媒体搬送経路Ｔに媒体Ｐを送り出すことができるようになっている。また、媒体トレイ１１は、前方（＋Ｙ方向）に引き出した状態で媒体Ｐを補充することができる。
【００５１】
媒体トレイ１１にセットされた媒体Ｐは、給送ローラー１６によってピックアップされて媒体搬送経路Ｔに送り出される。より具体的には、不図示の駆動源によって回転駆動される給送ローラー１６は、揺動軸１９ａを中心に揺動するローラー支持部材１９に設けられており、媒体トレイ１１に収容された複数の媒体Ｐの最上位のものと接して回転することにより、その最上位の媒体Ｐを媒体トレイ１１から装置後方（−Ｙ方向）に送り出す。
【００５２】
給送ローラー１６の下流には、不図示の駆動源によって回転駆動される中間ローラー１７が設けられており、この中間ローラー１７によって媒体Ｐは湾曲反転させられ、装置前方（＋Ｙ方向）へと送られる。尚、符号１８ａ、１８ｂ、１８ｃ、１８ｄは中間ローラー１７に従動回転可能な従動ローラーであり、媒体は、従動ローラー１８ａと中間ローラー１７とによってニップされ、続いて従動ローラー１８ｂと中間ローラー１７とによってニップされ、更に従動ローラー１８ｃと中間ローラー１７とによってニップされて、下流へと送られる。従動ローラー１８ｄについては後で説明する。
【００５３】
中間ローラー１７の下流には、搬送ローラー対２１が設けられており、搬送ローラー対２１によって媒体が記録ヘッド１０の下方へと送られる。搬送ローラー対２１は、図３において、下側のローラーが不図示の駆動源により回転駆動され、上側のローラーが下側のローラーに従動回転する。
【００５４】
搬送ローラー対２１の下流には、記録ヘッド１０とキャリッジ２０とを備えて構成される記録部８が設けられている。インクを吐出する記録ヘッド１０は、キャリッジ２０の底部に設けられている。キャリッジ２０には、記録ヘッド１０に供給するインクを収容する液体収容部２４が搭載されている。言い換えると、下部ユニット２は、液体収容部２４を内部に備えている。
【００５５】
液体収容部２４には、記録を行うことによって減ったインクを補充することができる。図３のようにスキャナーユニット４を開いた状態で、液体収容部２４にインクの補充を行う。キャリッジ２０には、複数の色に対応する複数の液体収容部２４が搭載されている。各液体収容部２４の上部には、図５に示されるインク供給口２５を閉じるキャップ２６が設けられている。図５には、図を正面視して一番左の液体収容部２４のキャップ２６が開いた状態が示されている。キャップ２６は、装置後方（−Ｙ方向）を軸として回動することによりインク供給口２５を開閉する。インク供給口２５からインクを液体収容部２４に注入することができる。  
尚、液体収容部２４は、キャリッジ２０に搭載せず、下部ユニット２の内部或いは下部ユニット２の外部に配置し、チューブを介して記録ヘッド１０にインクを供給する構成とすることもできる。
【００５６】
図２において、キャリッジ２０はホームポジションに位置している。ホームポジションは、キャリッジ２０の移動領域の一方の端に設けられており、本実施形態においては−Ｘ方向の端に設定されている。下部ユニット２の−Ｘ方向の前方には庇部材１４が設けられており、キャリッジ２０がホームポジションに位置する場合に、キャップ２６が閉じられた状態の液体収容部２４が庇部材１４の下方に位置するようになっている。庇部材１４によって、キャップ２６が確実に閉まった状態でキャリッジ２０をホームポジションに位置させることができる。
【００５７】
庇部材１４があるため、キャリッジ２０がホームポジションに位置する際には液体収容部２４のキャップ２６を開くことができない。液体収容部２４にインクを補充する場合には、例えば操作部６においてインク補充モードを選択することで、図５に示されるように庇部材１４によってキャップ２６が覆われない位置にキャリッジ２０を移動させることができる。
【００５８】
図２に示されるように、下部ユニット２の前面２ａには切り欠き１５が設けられている。液体収容部２４の＋Ｙ方向の側面には、内部のインク量を視認可能な窓部２７が設けられており、インク補充モードでは、図５に示されるようにキャリッジ２０がＸ軸方向において切り欠き１５と重なる位置まで移動される。このことにより、液体収容部２４の中のインク量を確認しながらインクを補充することができる。  
インクの補充が完了したら、例えば操作部６においてインク補充モードを終了することでキャリッジ２０がホームポジションに戻されるように構成することができる。また、スキャナーユニット４が下部ユニット２に対して閉じられたことを検出し、これをトリガーとしてキャリッジ２０をホームポジションに戻す構成とすることもできる。
【００５９】
キャリッジ２０は図示しない駆動源によって、幅方向（Ｘ軸方向）に往復移動される。プリンター１は、図２に示されるように幅方向に延設されるガイド部材２８を備え、キャリッジ２０はガイド部材２８に沿って幅方向に移動する。ガイド部材２８は、キャリッジ２０を幅方向にガイドする。
【００６０】
図３において、記録ヘッド１０と対向する位置には、媒体搬送経路Ｔを搬送される媒体Ｐを支持する支持面を形成する媒体支持部材２３が設けられている。媒体支持部材２３の上面が媒体Ｐの支持面となる。媒体支持部材２３に支持されて、媒体Ｐと記録ヘッド１０との間隔が規定される。
【００６１】
媒体支持部材２３の下流には排出ローラー対２２が設けられている。排出ローラー対２２も、搬送ローラー対２１と同様に、下側のローラーが不図示の駆動源により回転駆動され、上側のローラーが下側のローラーに従動回転するように構成されている。記録部８による記録後の媒体Ｐは、排出ローラー対２２により、図３において点線で示されるように突出状態にされた排出トレイ１２に向けて排出される。
【００６２】
排出トレイ１２は、図３において実線で示されるように下部ユニット２に収納された収納状態と、図３において点線で示されるように下部ユニット２の前方側に突出した突出状態と、を切換可能に構成されており、突出状態で記録後の媒体を受けることができる。排出トレイ１２は、不図示の駆動源によって収納状態と突出状態とを切り換え可能に構成されている。
【００６３】
尚、プリンター１は、媒体Ｐの第１面と、その反対面の第２面に記録を行う両面記録を実行可能に構成されている。両面記録を行う場合には、第１面への記録後、媒体Ｐをスイッチバックさせて−Ｙ方向に送る。スイッチバックされた媒体Ｐは、従動ローラー１８ｄと中間ローラー１７とによってニップされて、媒体搬送経路Ｔに合流させることができる。媒体Ｐは中間ローラー１７によって反転され、第２面が記録ヘッド１０と対向した状態で記録ヘッド１０の下方に搬送され、第２面への記録が行われる。
【００６４】
また、プリンター１は、記録が行われる媒体Ｐを装置後方の上部に設けられる上部供給口９からも供給可能に構成されている。上部供給口９は、給送口カバー３を開くことで開放される。上部供給口９から供給された媒体Ｐは、搬送ローラー対２１の上流から媒体搬送経路Ｔに入り、記録ヘッド１０による記録が行われる。
【００６５】
本発明は上記実施形態に限定されることなく、特許請求の範囲に記載した発明の範囲内で種々の変形が可能であり、それらも本発明の範囲内に含まれるものであることは言うまでもない。
【符号の説明】
【００６６】
１…インクジェットプリンター（記録装置）、２…下部ユニット、３…給送口カバー、４…スキャナーユニット（画像読取装置）、５…原稿台カバー、６…操作部、６ａ…操作面、７…下部カバー、８…記録部、９…上部供給口、１０…記録ヘッド、１１…媒体トレイ、１２…排出トレイ、１３…パネルユニット、１４…庇部材、１５…切り欠き、１６…給送ローラー、１７…中間ローラー、１８ａ、１８ｂ、１８ｃ、１８ｄ…従動ローラー、１９…ローラー支持部材、１９ａ…揺動軸、２０…キャリッジ、２１…搬送ローラー対、２２…排出ローラー対、２３…媒体支持部材、２４…液体収容部、２５…インク供給口、２６…キャップ、２７…窓部、２８…ガイド部材、３０…ハウジング、３１…読み取り手段、３２…原稿台、３３…押さえ板、３４…取付部、３５…被ガイド部、３６…ガイドレール、３７…押圧手段、３８…枠部材、３８ａ…第１押さえ部、３８ｂ…第２押さえ部、４０…移動手段、４１…駆動プーリー、４２…従動プーリー、４３…ベルト、４４…駆動源、４５…中間歯車、４６ａ…第１軸部、４６ｂ…第２軸部、５０…フレキシブルフラットケーブル（ＦＦＣ）、５０ａ…可動部、５１…規制部、６０…傾斜形状部、６０ａ…傾斜面、６０ｂ…頂部、Ｐ…媒体
【図１】
2020141187.tif 000003
【図２】
2020141187.tif 000004
【図３】
2020141187.tif 000005
【図４】
2020141187.tif 000006
【図５】
2020141187.tif 000007
【図６】
2020141187.tif 000008
【図７】
2020141187.tif 000009
【図８】
2020141187.tif 000010
【図９】
2020141187.tif 000011
【図１０】
2020141187.tif 000012
【図１１】
2020141187.tif 000013
【図１２】
2020141187.tif 000014
【図１３】
2020141187.tif 000015